(57)【特許請求の範囲】
【請求項１】
ソレノイドの励磁によってプランジャを前後方向に出没移動させ、該プランジャの先端側を発射位置に待機させたパチンコ球に衝突させて、遊技盤面上に球を打ち出す球発射装置において、
ソレノイド本体を内装するケース部材と、前記遊技盤面の裏側に取付けられ、前記ケース部材をプランジャの移動方向とほぼ平行に前後移動可能に支持するベースブラケットとを有し、
前記ケース部材の前後に前記プランジャがそれぞれ挿通する筒状のフランジ部を形成し、前記ベースブラケットに前記フランジ部と前記ケース部材を同一軸心上に支持する前後支持片を設け、該同一軸心上に設けられた前記前後支持片と前記ケース部材の前後のフランジ部間に前部ならびに後部緩衝部材を設けたことを特徴とする球発射装置。
【発明の詳細な説明】
【０００１】
【産業上の利用分野】
本発明は、パチンコ球を遊技媒体とするパチンコ機などの遊技機に装備され、ソレノイドの励磁によってプランジャを出没移動させ、該プランジャの先端側を発射位置に待機させたパチンコ球に衝突させて、遊技盤面上に球を打ち出す球発射装置に関する。
【０００２】
【従来の技術】
従来のパチンコ機において、ソレノイドを使用して球を打ち出す方式の球発射装置は、一般にはソレノイド本体を遊技盤面の裏側の所定位置に直接固設したり、或はソレノイド本体と遊技盤面の裏側との間にゴムなどの緩衝マウントを介在させて、遊技盤面の裏側の所定位置に固定したりしていた。
【０００３】
だが周知のように、前記方式の球発射装置では、ソレノイド本体を直接固設した場合、ソレノイド本体より出没するプランジャが移動する際の振動や、該プランジャの移動に伴ってソレノイド本体に伝わる衝撃力が緩和されることなく、そのまま遊技客の操作するハンドルに伝わってしまい不快感を与えていた。また、ソレノイド本体を緩衝マウントを介在させて固定した場合、プランジャの移動に起因する振動や衝撃を適度に吸収できるが、該緩衝マウントの弾性変形によりソレノイド本体自体がグラつくように振動してしまい、安定した球の打ち出しが困難であった。
【０００４】
かかる問題を解決するために、例えば、特開昭６２−２９２１８４号や、特開平２−８００７３号において、衝撃力緩和及び振動防止構造を備えた球発射装置が提案されている。これらの球発射装置は、遊技盤面の裏側にガイドピンを打球の発射方向に対しほぼ平行に固定し、該ガイドピンをガイド孔内に挿通してガイドピンに沿い移動可能に設けた取付台にソレノイド本体を取付けると共に、取付台の前後に緩衝部材を当接して構成されている。
【０００５】
【発明が解決しようとする課題】
しかしながら、前述した衝撃力緩和及び振動防止構造を備えた球発射装置では、ガイドピンを別途ブラケットを介して遊技盤面の裏側に固定したり、ソレノイド本体を取付台に取付けたり、更には取付台に前記ガイドピンに挿通するガイド孔を形成し、取付台をガイドピンにより移動可能に支持させたりと、装置全体の組み付け工数が多く、また部品点数も多いため、コストアップの要因となるという問題点があった。かかる問題点に鑑みて、ソレノイドを用いた球発射装置において、衝撃力緩和及び振動防止構造を如何に低コストで実現するかが、当業者間において重要な課題となっていた。
【０００６】
本発明は、このような従来技術が有する問題点に着目してなされたもので、ソレノイドをケース部材に収納し、ケース部材の前後にプランジャがそれぞれ挿通する筒状のフランジ部を形成し、ベースブラケットにフランジ部とケース部材を同一軸心上に支持する前後支持片を設け、同一軸心上に設けられた前後支持片とケース部材の前後のフランジ部間に前部ならびに後部緩衝部材を設けることによって、簡易かつ容易な構成とし、ソレノイドのプランジャの移動に起因する振動を防止できると共に、衝撃を適度に緩和することができ、コストを大幅に低減することができる球発射装置を提供することを目的としている。
【０００７】
【課題を解決するための手段】
かかる目的を達成するための本発明の要旨とするところは、次の項に存する。
【０００８】
ソレノイド（１１）の励磁によってプランジャ（１３）を前後方向に出没移動させ、該プランジャ（１３）の先端側を発射位置に待機させたパチンコ球に衝突させて、遊技盤面（２ａ）上に球を打ち出す球発射装置（１０）において、
ソレノイド本体（１１ａ）を内装するケース部材（２０）と、前記遊技盤面（２ａ）の裏側に取付けられ、前記ケース部材（２０）をプランジャ（１３）の移動方向とほぼ平行に前後移動可能に支持するベースブラケット（４０）とを有し、
前記ケース部材（２０）の前後に前記プランジャ（１３）がそれぞれ挿通する筒状のフランジ部（２４，２６）を形成し、前記ベースブラケット（４０）に前記フランジ部（２４，２６）と前記ケース部材（２０）を同一軸心上に支持する前後支持片（４１，４３）を設け、該同一軸心上に設けられた前記前後支持片（４１，４３）と前記ケース部材（２０）の前後のフランジ部（２４，２６）間に前部ならびに後部緩衝部材（３１，３２）を設けたことを特徴とする球発射装置（１０）。
【００１０】
【作用】
球を打ち出す際にソレノイド（１１）の励磁により、プランジャ（１３）が前方へ突出移動すると、それに伴って、例えばプランジャ（１３）の後端側に設けられた弾性ストッパー（１７）がソレノイド本体（１１ａ）の後端側に弾撥的に衝突するなどして、ソレノイド本体（１１ａ）に前方への衝撃が加わる。
【００１１】
衝撃を受けた際、ソレノイド本体（１１ａ）が振動しようとしても、該ソレノイド本体（１１ａ）を内装したケース部材（２０）は、遊技盤面（２ａ）側に固定されたベースブラケット（４０）により移動が規制される。すなわち、ケース部材（２０）はそのフランジ部（２４，２６）がベースブラケット（４０）の前後支持片（４１，４３）により同一軸心上に支持された状態で、該同一軸心方向に前方移動するだけであり、ソレノイド本体（１１ａ）はケース部材（２０）ごとプランジャ（１３）の移動方向と異なる方向への振動が抑えられる。
【００１２】
また、前記ケース部材（２０）ごと前方に移動するソレノイド本体（１１ａ）の衝撃力は、前記ベースブラケット（４０）の前端側とケース部材（２０）の前端側との間に設けた前部緩衝部材（３１）によって吸収される。一方、突出したプランジャ（１３）は、例えば復帰用付勢部材（３０）の付勢力により元の位置へ没入移動し、それに伴いケース部材（２０）ごと後方に移動するソレノイド本体（１１ａ）の衝撃力は、前記ベースブラケット（４０）の後端側とケース部材（２０）の後端側との間に設けた後部緩衝部材（３２）によって吸収される。従って、遊技客の操作するハンドルなどに不快に衝撃が伝わらない。
【００１３】
以上のように、ソレノイド（１１）をケース部材（２０）に収納し、ケース部材（２０）の前後にプランジャ（１３）がそれぞれ挿通する筒状のフランジ部（２４，２６）を形成し、ベースブラケット（４０）にフランジ部（２４，２６）とケース部材（２０）を同一軸心上に支持する前後支持片（４１，４３）を設け、同一軸心上に設けられた前後支持片（４１，４３）とケース部材（２０）の前後のフランジ部（２４，２６）間に前部ならびに後部緩衝部材（３１，３２）を設けることによって、簡易かつ容易な構成とし、ソレノイド（１１）のプランジャ（１３）の移動に起因するソレノイド本体（１１ａ）の振動を防止することができる。
また、同一軸心上に設けられた前部ならびに後部緩衝部材（３１，３２）によって、ソレノイド本体（１１ａ）が前後移動する際の衝撃を同一軸心上で受け止めることになり、衝撃の偏りを無くして吸収・緩和することができ、結果として、装置全体の組み付け工数や部品点数を削減し、コストをより低減することができ、しかも、衝撃を吸収・緩和することが可能となる。
【００１４】
また、前記プランジャ（１３）の前後端側が、ケース部材（２０）のフランジ部（２４，２６）に案内されるため、球の打ち出し時におけるプランジャ（１３）のブレを防止することができ、それにより、打球の発射方向が一定に維持される。
【００１５】
【実施例】
以下、図面に基づき本発明の一実施例を説明する。
図１〜図４は本発明の一実施例を示している。
図４に示すように、本実施例に係る球発射装置１０は、パチンコ機１の遊技盤面２ａが形成された基枠２の裏側に配設され、上皿３に連通した球経路４を通って発射レール５の基端側に送られるパチンコ球を、遊技客のハンドル６の操作に応じて遊技盤面２ａの表面上に順次打ち出す装置である。
【００１６】
図１に示すように、球発射装置１０は、ソレノイド１１の励磁によってプランジャ１３を前後方向に出没移動させ、該プランジャ１３の先端側を発射位置に待機させたパチンコ球に衝突させるように構成されており、ソレノイド１１と、ケース部材２０と、ベースブラケット４０と、前部緩衝部材３１と、後部緩衝部材３２などを具備して成る。
【００１７】
ソレノイド１１は、ソレノイド本体１１ａの内部にプランジャ１３を貫通させて、該ソレノイド本体１１ａに通電し励磁させることで、プランジャ１３が前方（図１中で左方向）に突出移動するように構成されている。プランジャ１３の前端には、球に直接衝突させる打出部材１５が取付けられており、その後側には、プランジャ１３が後方へ没入移動した際に、ソレノイド本体１１ａの前端側に弾撥的に衝突する弾性ストッパー１４が設けられている。一方、プランジャ１３の後端には、プランジャ１３がソレノイド本体１１ａから抜け出るのを防止するストッパー１６が設けられている。
【００１８】
ストッパー１６の前側には、プランジャ１３が前方へ突出移動した際に、ソレノイド本体１１ａの後端側に弾撥的に衝突する弾性ストッパー１７がプランジャ１３の後端に外嵌するように設けられている。弾性ストッパー１４，１７はゴムや軟質樹脂などにより成形したものであるが、バネ材を用いてもよい。また、ストッパー１６とソレノイド本体１１ａの後端面との間には、突出移動したプランジャ１３を元の位置へ戻すよう没入移動させる復帰用付勢部材３０がプランジャ１３の後端側に巻き付くように設けられている。復帰用付勢部材３０はコイルスプリングから成るが、ゴムや軟質樹脂などにより成形してもよい。
【００１９】
ケース部材２０は、前記ソレノイド本体１１ａを内装する箱状の枠体であり、２分割された前後のケース半体２１，２２を互いにネジ止めして構成されている。かかるケース半体２１，２２同士を合せる際、その内部空間にソレノイド１１を内装するようにして組み立てられている。なお、ケース部材２０の内壁とソレノイド本体１１ａの外壁との隙間には、ゴムシートなどの緩衝材が介装されており、ソレノイド本体１１ａはケース部材２０内に固定された状態で内装されている。
【００２０】
また、ケース部材２０の前端面部２３には、プランジャ１３の前端側を挿通させる筒状の前フランジ部２４が形成されており、同様にケース部材２０の後端面部２にも、プランジャ１３の後端側を挿通させる筒状の後フランジ部２６が形成されている。図１に示すように、前フランジ部２４の内径は、プランジャ１３の前端側に取付けられている打出部材１５よりも大きく形成されており、一方、後フランジ部２６の内径は、前フランジ部２４の内径に比して大きく、プランジャ１３の後端側に設けられているストッパー１６よりも大きく形成されている。
【００２１】
図１及び図２に示すように、前記ケース部材２０はベースブラケット４０によって、該ケース部材２０に内装されているソレノイド１１のプランジャ１３の出没移動方向とほぼ平行に移動可能に支持されている。ベースブラケット４０の前端側には、前記ケース部材２０の前フランジ部２４を支持する前支持片４１が設けられており、かかる前支持片４１の略中央には、前フランジ部２４がその軸心方向に沿って前後移動可能に嵌合する挿通孔４２が穿設されている。
【００２２】
一方、ベースブラケット４０の後端側には、前記ケース部材２０の後フランジ部２６を支持する後支持片４３が設けられており、かかる後支持片４３の略中央には、後フランジ部２６がその軸心方向に沿って前後移動可能に嵌合する挿通孔４４が穿設されている。このようなベースブラケット４０の構成により、その前支持片４１と後支持片４３との間に支持されたケース部材は、上下方向や両側方向にはガタつくことなく、前後方向に、すなわちプランジャ１３の移動方向と平行に移動するように設定されている。
【００２３】
ベースブラケット４０の前支持片４１とケース部材２０の前端面部２３との間には、前部緩衝部材３１が前フランジ部２４の外周に巻き付くように設けられている。前部緩衝部材３１は、前記プランジャ１３の前方への突出移動に伴い前方移動するソレノイド本体１１ａ及びケース部材２０の衝撃力を吸収・緩和するものである。
【００２４】
また、ベースブラケット４０の後支持片４３とケース部材２０の後端面部２５との間には、後部緩衝部材３２が後フランジ部２６の外周に巻き付くように設けられている。後部緩衝部材３１は、前記プランジャ１３の後方への没入移動に伴い後方移動するソレノイド本体１１ａ及びケース部材２０の衝撃力を吸収・緩和するものである。なお、本実施例において前部緩衝部材３１及び後部緩衝部材３２は、共にコイルスプリングから成るが、ゴムや軟質樹脂などにより成形してもよい。
【００２５】
図３に示すように、ケース部材２０は、ベースブラケット４０を介して基枠２の裏側に取付けられている。かかるケース部材２０は、その内部にあるソレノイド１１のプランジャ１３が突出した際に、発射レール５の発射位置を臨むように配されている。また、球発射装置１０の傍らには、プランジャ１３の出没移動に連動して、上皿３（図４参照）から球経路４に供給される球を発射レール５の発射位置に順次送り出すための球送出し装置６０が配設されている。
【００２６】
球送出し装置６０は、下端をプランジャ１３の後端にあるストッパー１６に当接させた状態にて、枢軸６１ａを介して揺動可能に基枠２に枢支された連動部材６１と、該連動部材６１の上端に一端が屈曲可能に連結されたリンク部材６２と、枢軸６３ａを介して回動可能に基枠２に枢支され、かつ前記リンク部材６２の他端に押引き可能に連結された係脱部材６３と、該係脱部材６３の回動に伴い１歯分ずつ回転するように配されたスプロケット６６とから構成されている。
【００２７】
スプロケット６６は、その外周の歯が球経路４の途中の開口部から球経路４内を臨む位置に枢支されている。係脱部材６３は、スプロケット６６の歯に対し交互に係合し該スプロケット６６の回転を規制する２つの爪部６４，６５を有している。このような球送出し装置６０は、プランジャ１３が１回出没移動する度に、球を発射レール５の球待機位置に１個ずつ送り出すものであり、詳しい動作については後述する。
【００２８】
次に球発射装置１０の作用について説明する。
図４に示すハンドル６の操作に基づき、図１においてソレノイド１１に通電するとソレノイド本体１１ａが励磁し、図中想像線で示す如くプランジャ１３が前方へ突出移動して、打出部材１５が発射位置にある球Ｐを打ち出す。このようなプランジャ１３の突出移動に伴って、プランジャ１３の後端側に設けた弾性ストッパー１７が、ソレノイド本体１１ａの後端面に弾撥的に衝突するため、ソレノイド本体１１ａに前方への衝撃が加わる。
【００２９】
かかる衝撃を受けることで、ソレノイド本体１１ａが振動しようとしても、該ソレノイド本体１１ａを内装したケース部材２０は、基枠２に固定されたベースブラケット４０により移動が規制される。すなわち、ケース部材２０の前後のフランジ部２４，２６が、ベースブラケット４０の前後の支持片４１，４３に穿設された挿通孔４２，４４に嵌合しているため、ケース部材２０及びソレノイド本体１１ａは、プランジャ１３の突出方向と一致する前方への移動のみが可能である。従って、ソレノイド本体１１ａはケース部材２０ごとプランジャ１３の移動方向と異なる上下方向や両側方向への振動が抑えられる。
【００３０】
前記ケース部材２０ごと前方に移動するソレノイド本体１１ａの衝撃力は、ベースブラケット４０の前支持片４１とケース部材２０の前端面部２３との間に設けた前部緩衝部材３１によって吸収・緩和される。それにより、球Ｐの打ち出し時において、遊技客の操作するハンドル６などに不快に衝撃が伝わることはない。また、前記プランジャ１３の前後端側が、ケース部材２０のフランジ部２４，２６に案内されるため、球Ｐの打ち出し時におけるプランジャ１３のブレを防止することができ、それにより、打球の発射方向が一定に維持される。
【００３１】
一方、ソレノイド本体１１ａが失磁すると、プランジャ１３は復帰用付勢部材３０の付勢力により元の位置へ没入移動する。この時、図１に示すようにプランジャ１３の前端側に設けた弾性ストッパー１４が、ソレノイド本体１１ａの前端面に弾撥的に衝突するため、ソレノイド本体１１ａに後方への衝撃が加わる。かかる衝撃を受けても、前述したようにソレノイド本体１１ａはケース部材２０ごとベースブラケット４０により移動が規制され、プランジャ１３の没入方向と一致する後方への移動のみが可能であり、上下方向や両側方向への振動は抑えられる。
【００３２】
また、プランジャ１３の没入移動に伴って、ケース部材２０ごと後方に移動するソレノイド本体１１ａの衝撃力は、ベースブラケット４０の後支持片４３とケース部材２０の後端面部２５との間に設けた後部緩衝部材３２によって吸収される。それにより、球の打ち出し終了時においても、遊技客の操作するハンドル６などに不快に衝撃が伝わることはない。
【００３３】
以上のように、ケース部材２０のフランジ部２４，２６を、ベースブラケット４０のフランジ部２４，２６に前後移動可能に嵌合させるという簡易かつ容易な構成により、ソレノイド１１のプランジャ１３の移動に起因するソレノイド本体１１ａの振動を防止できる。また、前部緩衝部材３１や後部緩衝部材３２によって、ソレノイド本体１１ａ及びケース部材２０が前後移動する際の衝撃を適度に緩和することができる。更に、プランジャ１３の前後端側が、ケース部材２０のフランジ部２４，２６に案内されるため、球の打ち出し時におけるプランジャ１３のブレを防止することができ、打球の発射方向が一定に維持される。
【００３４】
図３に基づき、球発射装置１０に連動する球送出し装置６０の動作について説明する。
先ず、図示したようにソレノイド１１のプランジャ１３が没入位置にある時、連動部材６１の下端がプランジャ１３の後端のストッパー１６により後方へ押出され、連動部材６１は枢軸６１ａを支点として揺動する。これに伴いリンク部材６２は前方へ押出され、係脱部材６３が枢軸６３ａを中心として反時計方向に回動する。それにより、係脱部材６３の一の爪部６４がスプロケット６６の一つの歯に係合するため、スプロケット６６は回転不能に拘束されて、球経路４内の球の流下を阻止する。
【００３５】
次に、ソレノイド１１が励磁してプランジャ１３が突出移動すると、連動部材６１がプランジャ１３の押し付けから解放されるため、バネ６７の付勢力によりリンク部材６２は後方へ移動し、係脱部材６３が枢軸６３ａを中心として時計方向に回動する。それにより、係脱部材６３の一の爪部６４がスプロケット６６の一つの歯から離脱すると同時に、他の爪部６５が次の歯に係合し、直ちにスプロケット６６の回転を止めて歯の間の凹部に保持した球の送り出しをここで一旦止めることになる。
【００３６】
続いて、プランジャ１３が球Ｐを打ち出した後に没入移動すると、再び連動部材６１の下端がプランジャ１３により後方へ押出され、それに伴い前方へ押出されるリンク部材６２によって、係脱部材６３が反時計方向に回動する。それにより、係脱部材６３の他の爪部６５がスプロケット６６の一つの歯から離脱し、一の爪部６５が再び次の歯に係合してスプロケット６６の回転を止めるが、この間に球経路４内にて保持されていた１個の球が発射レール５の待機位置まで送り出される。
【００３７】
なお、前記実施例に係る球発射装置の具体的な形状は、図示したものに限定されるものではない。
【００３８】
【発明の効果】
本発明に係る球発射装置によれば、ケース部材の前後にプランジャがそれぞれ挿通する筒状のフランジ部を形成し、ベースブラケットにフランジ部とケース部材を同一軸心上に支持する前後支持片を設け、同一軸心上に設けられた前後支持片とケース部材の前後のフランジ部間に前部ならびに後部緩衝部材を設けることによって、簡易かつ容易な構成とし、ソレノイドのプランジャの移動に起因するソレノイド本体の振動を防止することができ、また、同一軸心上に設けられた前部ならびに後部緩衝部材によって、ソレノイド本体が前後移動する際の衝撃を同一軸心上で受け止めることにより、衝撃の偏りを無くして吸収・緩和することができ、結果として、装置全体の組み付け工数や部品点数を削減し、コストをより低減することができ、しかも、衝撃を吸収・緩和することが可能となる。
【図面の簡単な説明】
【図１】本発明の一実施例に係る球発射装置を示す断面図である。
【図２】本発明の一実施例に係る球発射装置を示す斜視図である。
【図３】本発明の一実施例に係る球発射装置を基枠に取付けた状態を示す正面図である。
【図４】本発明の一実施例に係る球発射装置を装備したパチンコ機を示す背面図である。
【符号の説明】
１０…球発射装置
１１…ソレノイド
１１ａ…ソレノイド本体
１３…プランジャ
１７…弾性ストッパー
２０…ケース部材
２３…前端面部
２４…前フランジ部
２５…後端面部
２６…後フランジ部
３０…復帰用付勢部材
３１…前部緩衝部材
３２…後部緩衝部材
４０…ベースブラケット
４１…前支持片
４３…後支持片
【図１】
0003732240.tif 000002
【図２】
0003732240.tif 000003
【図３】
0003732240.tif 000004
【図４】
0003732240.tif 000005